(57)【要約】      （修正有）【課題】部品を納入するサプライヤの評価基準を定めるとともに、サプライヤによる部品の製造工程を評価項目により評価する、部品を製造するサプライヤの選定方法及びサプライヤ選定システムを提供する。【解決手段】部品を製造するサプライヤの管理面に係る評価項目からなる監査チェックシートを用いて、サプライヤを、予め設定された暫定合格基準を基に評価するサプライヤ評価工程と、部品の製造工程における評価項目からなる製造チェックシートを用いて、部品の製造工程を評価する部品の製造工程評価工程と、を実行する。【選択図】図１
2013140567.tif 000002
【特許請求の範囲】
【請求項１】
部品を製造するサプライヤの選定方法であって、
前記部品を製造するサプライヤの管理面に係る評価項目からなる監査チェックシートを用いて、前記評価項目の評価点数の合計が、所定の合格基準点に達していれば暫定合格とする暫定合格基準を基に、前記サプライヤを選定する評価をするサプライヤ評価工程と、
前記部品の製造工程における評価項目からなる製造チェックシートを用いて、前記部品の製造工程を評価する部品の製造工程評価工程と、
を備えたことを特徴とする部品を製造するサプライヤの選定方法。
【請求項２】
前記暫定合格基準は、前記サプライヤの管理面に係る評価項目に、メーカへの納入実績評価を加味して、該納入実績評価と前記評価項目との総合評価点数が、所定の合格基準点数を上回るか否かを判定して、上回る場合に暫定合格とする処置を行う、ことを特徴とする請求項１に記載の部品を製造するサプライヤの選定方法。
【請求項３】
前記サプライヤ評価工程は、前記サプライヤの管理面に係る評価項目を、予め登録されてなる管理面に係る評価項目情報を記憶した管理データベースから取り出して、前記管理面に係る評価項目を含むフォーマットの監査チェックシートを作成する監査チェックシート作成工程を含む、ことを特徴とする請求項１に記載の部品を製造するサプライヤの選定方法。
【請求項４】
前記管理データベースに記憶された評価項目の各々には、評価項目の重要度に応じて予め設定された最大評価点が登録されており、
前記監査チェックシートに含まれる評価項目毎に、前記登録された最大評価点を上限として評価点を入力する入力工程と、
該入力された評価点を統計処理して評価結果を出力する出力工程と
を備えたことを特徴とする請求項３に記載の部品を製造するサプライヤの選定方法。
【請求項５】
前記部品の製造工程評価工程は、部品の製造工程を構成し得る工法の上位項目として予め設定された基本工法が登録されてなる基本工法情報、前記基本工法の下位項目としてあらかじめ設定された詳細工法が登録されてなる詳細工法情報、及び、前記詳細工法に対応する詳細項目が登録されてなる評価項目情報を互いに関連付けて記憶した製造データベースから、評価情報である部品の製造工程を構成する工法に対応する基本工法、詳細工法及び評価項目をそれぞれ選定する選択工程と、前記選択した基本工法、詳細工法及び評価項目を含むフォーマットの製造チェックシートを作成する製造チェックシート作成工程と、
を備えたことを特徴とする請求項１に記載の部品を製造するサプライヤの選定方法。
【請求項６】
前記製造データベースに記憶された評価項目の各々には、評価項目の重要度に応じて予め設定された最大評価点が登録されており、
前記製造チェックシートに含まれる評価項目毎に、前記登録された最大評価点を上限として評価点を入力する入力工程と、
該入力された評価点を統計処理して評価結果を出力する出力工程と
を備えたことを特徴とする請求項５に記載の部品を製造するサプライヤの選定方法。
【請求項７】
前記出力工程は、前記評価項目の各々に対して入力された評価点の合計を算出して、最大評価点に対する達成率を算出して出力することを特徴とする請求項４または６に記載の部品を製造するサプライヤの選定方法。
【請求項８】
前記出力工程は、評価対象の部品を製造する複数のサプライヤの各々について算出した評価結果を、サプライヤ毎に列挙して出力することを特徴とする請求項４、６又は７に記載の部品を製造するサプライヤの選定方法。
【請求項９】
前記基本工法は材料選択工法、鋳造工法、鍛造工法、熱処理工法、表面処理工法、溶接工法、及び、機械加工工法からなることを特徴とする請求項５から８のいずれか１項に記載の部品を製造するサプライヤの選定方法。
【請求項１０】
部品を製造するサプライヤの選定システムであって、
前記部品を製造するサプライヤを、サプライヤの管理面に係る評価項目からなる監査チェックシートを用いて、前記評価項目の評価点数の合計が、所定の合格基準点に達していれば暫定合格とする暫定合格基準を基に、前記サプライヤを選定する評価をするサプライヤ評価システムと、
前記部品の製造工程を評価項目からなる製造チェックシートを用いて評価する部品の製造工程評価システムと、を含み、
前記サプライヤ評価システムは、前記サプライヤの管理面に係る評価項目を予め登録されてなる管理面に係る評価項目情報を記憶した管理データベースと、
前記管理面に係る評価項目を含むフォーマットの監査チェックシートを作成する監査チェックシート作成手段と、を備え、
前記部品の製造工程評価システムは、部品の製造工程を構成し得る工法の上位項目として予め設定された基本工法が登録されてなる基本工法情報、前記基本工法の下位項目として予め設定された詳細工法が登録されてなる詳細工法情報、及び、前記詳細工法に対応する評価項目が登録されてなる評価項目情報を互いに関連付けて記憶した製造データベースと、
評価対象である部品の製造工程を構成する工法について、前記製造データベースから対応する基本工法、詳細工法及び評価項目をそれぞれ選定する選択手段と、
前記選択された基本工法、詳細工法及び評価項目を含むフォーマットの製造チェックシートを作成する製造チェックシート作成手段と
を備えたことを特徴とする部品を製造するサプライヤの選定システム。
【請求項１１】
前記暫定合格基準は、前記サプライヤの管理面に係る評価項目に、メーカへの納入実績評価を加えて、該納入実績評価と前記評価項目との評価点数の合計が、所定の合格基準点数を上回るか否かを判定して、上回る場合に暫定合格とする処置を行うものである、ことを特徴とする請求項１０に記載の部品を製造するサプライヤの選定システム。
【請求項１２】
前記評価項目の各々には、評価項目の重要度に応じて予め設定された最大評価点が関連付けて登録されており、
前記製造チェックシートに含まれる評価項目毎に、前記登録された最大評価点を上限として評価点を入力する入力手段と、
該入力手段から入力された評価点を統計処理して評価結果を出力する出力手段と
を備えたことを特徴とする請求項１０または１１に記載の部品を製造するサプライヤの選定システム。
【請求項１３】
前記出力手段は、前記評価項目の各々に対して入力された評価点の合計を算出して、最大評価点に対する達成率を算出して出力することを特徴とする請求項１２に記載の部品を製造するサプライヤの選定システム。
【請求項１４】
前記出力手段は、評価対象の部品を製造する複数のサプライヤの各々について算出した評価結果を、サプライヤ毎に列挙して出力することを特徴とする請求項１２又は１３に記載の部品を製造するサプライヤの選定システム。
【請求項１５】
前記基本工法は材料選択工法、鋳造工法、鍛造工法、熱処理工法、表面処理工法、溶接工法、及び、機械加工工法からなることを特徴とする請求項１０から１４のいずれか１項に記載の部品を製造するサプライヤの選定システム。
【発明の詳細な説明】
【技術分野】
【０００１】
本発明は、所望の品質の部品を製造するサプライヤの選定において、サプライヤの管理面に係る評価項目と、サプライヤによる部品の製造工程の評価項目とから、総合的に評価してサプライヤを選定する、部品を製造するサプライヤの選定方法及びサプライヤ選定システムに関するものである。
【背景技術】
【０００２】
一般的に、サプライヤから部品を調達する場合、部品の品質を確保するために様々な工夫がなされている。その一例として、実際に部品の製造設備を有するサプライヤの製造工程について監査を行うことがある。この種の監査では、サプライヤが有する製造設備に基づいて、事前に製造工程に対応する評価項目からなるチェックシートを作成し、監査員が当該チェックシートの各項目を記入していくことによって行われる。このように従来は、チェックシート記入方式によって、サプライヤの製造工程の安定性・継続性などを定量的に評価し、部品の品質管理を行っている。
【０００３】
特許文献１には、一般製品の品質管理を効率的に行うことができる作業表に関する技術が開示されているが、本願発明者が知る限りにおいて、チェックシートを用いた監査に関する技術は上述した慣例的なものにとどまっており、技術的な研究開発がなされていないのが現状である。
【先行技術文献】
【特許文献】
【０００４】
【特許文献１】実用新案登録第３０９２６４７号
【発明の概要】
【発明が解決しようとする課題】
【０００５】
従来から行われてきた上述したようなチェックシート記入方式の監査方法には、以下の問題点がある。
（１）まず、部品に対するチェックシートは、部品の種類ごとに作成する必要があるため、多くの部品について信頼性のあるチェックシートを作成することは多大な労力・費用を要する。
（２）特に、チェックシートを構成する監査項目の選定や項目ごとの評価の重み付けの設定は、チェックシートの作成者の能力や経験に大きく左右される。
そのため、信頼性のあるチェックシートを作成するためには有識者に頼らざるを得ず、その労力・費用の負担はより一層を大きなものとなっている。
（３）また、チェックシートを部品ごとに別個に作成する場合、その作成者は、チェックシートごとに異なるのが一般的である。
そのため、各チェックシートに含まれる評価項目に統一性がなく、データとして評価結果を蓄積したとしても、統計的な分析に利用することは難しかった。
そのため、評価結果に基づいてサプライヤを正確に評価したり、その評価結果に基づいた適切な是正指導を十分に利用しきれていないという問題点がある。
【０００６】
また、部品の評価が正しかったとしても、そのことがそのままサプライヤを適正に評価することにつながるとは限らない。サプライヤの部品製造に対する取り組み、技術力、経営方針など、管理面を知らなければ、そのようなサプライヤの状況を踏まえた、適切な是正指導を行い得ないからである。
【０００７】
本発明は上記問題点に鑑みて提案されたものであり、所望の品質の部品を製造するサプライヤの選定において、サプライヤの管理面に係る評価項目と、サプライヤによる部品の製造工程における評価項目とから、総合的に評価してサプライヤを選定する、部品を製造するサプライヤの選定方法及びサプライヤ選定システムを提供することを目的とする。
【課題を解決するための手段】
【０００８】
上記課題を解決するために本発明に係る請求項１では、部品を製造するサプライヤの選定方法であって、部品を製造するサプライヤの管理面に係る評価項目からなる監査チェックシートを用いて、評価項目の評価点数の合計が、所定の合格基準点に達していれば暫定合格とする暫定合格基準を基に、サプライヤを選定する評価をするサプライヤ評価工程と、部品の製造工程における評価項目からなる製造チェックシートを用いて、部品の製造工程を評価する部品の製造工程評価工程と、を備えたことを特徴とする。
【０００９】
これにより、部品を製造するサプライヤを選定するに当たり、サプライヤの管理面に係る評価項目からなる監査チェックシートを、暫定合格基準を基にサプライヤを評価することができる。
次いで、その部品の製造工程を製造チェックシートを用いて評価して、管理面に係る評価項目と製造工程における評価項目とから、最終的に適切なサプライヤを決定するようにしたので、サプライヤを管理面と製造面とから是正指導して、良好な部品の調達につながる。
このように、管理面に係る評価項目、部品製造面での評価基準がそれぞれチェックシートで標準化されることで、同一基準で監査実績データを蓄積することが可能となる。
このため、複数の事業所が同一サプライヤの採用検討の無駄を省き、迅速な採用判断につながる。また、的確な是正計画を立てることが可能となる。
【００１０】
また、本発明に係る請求項２では、暫定合格基準は、サプライヤの管理面に係る評価項目に、メーカへの納入実績評価を加味して、納入実績評価と前記評価項目との総合評価点数が、所定の合格基準点数を上回るか否かを判定して、上回る場合に暫定合格とする処置を行う、ことを特徴とする。
【００１１】
これにより、管理面に係る評価項目が合格基準点に満たない低い評価であっても、実際にメーカへの納入実績があって、この納入実績評価を管理面に係る評価項目に対する評価を加味して、総合的に合格基準点を上回った時に暫定的に合格とみなされる。
【００１２】
また、本発明に係る請求項３では、サプライヤ評価工程は、サプライヤの管理面に係る評価項目を、予め登録されてなる管理面に係る評価項目情報を記憶した管理データベースから取り出して、管理面に係る評価項目を含むフォーマットの監査チェックシートを作成する監査チェックシート作成工程を含む、ことを特徴とする。
【００１３】
これにより、標準化された監査チェックシートとして自動的に作成することができる。
【００１４】
また、本発明に係る請求項４では、管理データベースに記憶された評価項目の各々には、評価項目の重要度に応じて予め設定された最大評価点が登録されており、監査チェックシートに含まれる評価項目毎に、登録された最大評価点を上限として評価点を入力する入力工程と、入力された評価点を統計処理して評価結果を出力する出力工程とを備えたことを特徴とする。
【００１５】
これにより、部品重要度が高い部品に関しては、合格基準を上げるということができ、より精度の高い評価を得ることができ、ひいてはサプライヤの評価をより適正なものとすることができる。
また、各評価項目における評価を点数の高低で行うことにより、数値的な評価結果が得られる。
【００１６】
また、本発明に係る請求項５では、部品の製造工程評価工程は、部品の製造工程を構成し得る工法の上位項目として予め設定された基本工法が登録されてなる基本工法情報、基本工法の下位項目としてあらかじめ設定された詳細工法が登録されてなる詳細工法情報、及び、詳細工法に対応する詳細項目が登録されてなる評価項目情報を互いに関連付けて記憶した製造データベースから、評価情報である部品の製造工程を構成する工法に対応する基本工法、詳細工法及び評価項目をそれぞれ選定する選択工程と、選択した基本工法、詳細工法及び評価項目を含むフォーマットの製造チェックシートを作成する製造チェックシート作成工程と、を備えたことを特徴とする。
【００１７】
これにより、評価対象である部品の製造工程に含まれる各工法を、予めデータベースに予め記憶された基本工法、詳細工法及び評価項目に対応付けることにより、これらを組み合わせて監査用の製造チェックシートを容易に作成することができる。特に、製造チェックシートに含まれる評価項目は、予めデータベースに登録されたものを用いているので、従来のように製造チェックシートの品質が作成者のスキルに左右されることがなく、一定品質を維持することができる。
【００１８】
また、本発明に係る請求項６では、データベースに記憶された評価項目の各々には、該評価項目の重要度に応じて予め設定された最大評価点が登録されており、製造チェックシートに含まれる評価項目毎に、登録された最大評価点を上限として評価点を入力する入力工程と、入力された評価点を統計処理して評価結果を出力する出力工程とを備えたことを特徴とする。
【００１９】
これにより、部品重要度が高い部品に関しては、合格基準を上げるということができ、より精度の高い評価を得ることができ、ひいてはサプライヤの評価をより適正なものとすることができる。
また、各評価項目における評価を点数の高低で行うことにより、数値的な評価結果が得られる。
【００２０】
また、本発明に係る請求項７では、出力工程は、評価項目の各々に対して入力された評価点の合計を算出して、最大評価点に対する達成率を算出して出力することを特徴とする。
【００２１】
これにより、評価結果を共通の評価項目に基づいて数値化することによって、評価結果の統計処理が可能となり、その活用度を大幅に促進することができる。
【００２２】
また、本発明に係る請求項８では、出力工程は、評価対象の部品を製造する複数のサプライヤの各々について算出した評価結果を、サプライヤ毎に列挙して出力することを特徴とする。
【００２３】
これにより、評価結果を複数のサプライヤ間で容易に比較することができる。
【００２４】
また、本発明に係る請求項９では、基本工法は材料選択工法、鋳造工法、鍛造工法、熱処理工法、表面処理工法、溶接工法、及び、機械加工工法からなることを特徴とする。
【００２５】
これにより、予めデータベースに基本工法を登録しておくことにより、様々な部品の製造工程を共通の基準で評価することができる。その結果、評価に用いる製造チェックシートの品質を均一化することができ、更に統計的な分析処理が可能となる。
【００２６】
また、本発明に係る請求項１０では、部品を製造するサプライヤの選定システムであって、部品を製造するサプライヤを、サプライヤの管理面に係る評価項目からなる監査チェックシートを用いて、評価項目の評価点数の合計が、所定の合格基準点に達していれば暫定合格とする暫定合格基準を基に、サプライヤを選定する評価をするサプライヤ評価システムと、部品の製造工程を評価項目からなる製造チェックシートを用いて評価する部品の製造工程評価システムと、を含み、サプライヤ評価システムは、サプライヤの管理面に係る評価項目を予め登録されてなる管理面に係る評価項目情報を記憶した管理データベースと、管理面に係る評価項目を含むフォーマットの監査チェックシートを作成する監査チェックシート作成手段と、を備え、部品の製造工程評価システムは、部品の製造工程を構成し得る工法の上位項目として予め設定された基本工法が登録されてなる基本工法情報、基本工法の下位項目として予め設定された詳細工法が登録されてなる詳細工法情報、及び、詳細工法に対応する評価項目が登録されてなる評価項目情報を互いに関連付けて記憶した製造データベースと、評価対象である部品の製造工程を構成する工法について、製造データベースから対応する基本工法、詳細工法及び評価項目をそれぞれ選定する選択手段と、選択された基本工法、詳細工法及び評価項目を含むフォーマットの製造チェックシートを作成する製造チェックシート作成手段とを備えたことを特徴とする。
【００２７】
これにより、サプライヤ評価システムにおいて、管理データベースからサプライヤの管理面に係る評価項目を順次取り出して監査チェックシートを作成し、予め設定された暫定合格基準により、サプライヤを評価することができる。
次いで、評価対象である部品の製造工程に含まれる各工法を、予め製造データベースに予め記憶された基本工法、詳細工法及び評価項目に対応付けることにより、これらを組み合わせて監査用の製造チェックシートを容易に作成することができる。特に、製造チェックシートに含まれる評価項目は、予め製造データベースに登録されたものを用いているので、従来のように製造チェックシートの品質が作成者のスキルに左右されることがなく、一定品質を維持することができる。
【００２８】
また、本発明に係る請求項１１では、暫定合格基準は、サプライヤの管理面に係る評価項目に、メーカへの納入実績評価を加味して、納入実績評価と評価項目との総合評価点数が、所定の合格基準点数を上回るか否かを判定して、上回る場合に暫定合格とする処置を行うものである、ことを特徴とする。
【００２９】
これにより、管理面に係る評価項目が合格基準点に満たない低い評価であっても、実際にメーカへの納入実績があって、この納入実績評価を管理面に係る評価項目に対する評価を加味して、総合的に合格基準点を上回った時に暫定的に合格とみなされる。
【００３０】
また、本発明に係る請求項１２では、評価項目の各々には、評価項目の重要度に応じて予め設定された最大評価点が関連付けて登録されており、製造チェックシートに含まれる評価項目毎に、登録された最大評価点を上限として評価点を入力する入力手段と、入力手段から入力された評価点を統計処理して評価結果を出力する出力手段と、を備えたことを特徴とする。
【００３１】
これにより、部品重要度が高い部品に関しては、合格基準を上げるということができ、より精度の高い評価を得ることができ、ひいてはサプライヤの評価をより適正なものとすることができる。
また、各評価項目における評価を点数の高低で行うことにより、数値的な評価結果が得られる。
【００３２】
また、本発明に係る請求項１３では、出力手段は、評価項目の各々に対して入力された評価点の合計を算出して、最大評価点に対する達成率を算出して出力することを特徴とする。
【００３３】
これにより、評価結果を共通の評価項目に基づいて数値化することによって、評価結果の統計処理が可能となり、その活用度を大幅に促進することができる。
【００３４】
また、本発明に係る請求項１４では、出力手段は、評価対象の部品を製造する複数のサプライヤの各々について算出した評価結果を、サプライヤ毎に列挙して出力することを特徴とする。
【００３５】
これにより、評価結果を複数のサプライヤ間で容易に比較することができる。
【００３６】
さらに、本発明に係る請求項１５では、基本工法は材料選択工法、鋳造工法、鍛造工法、熱処理工法、表面処理工法、溶接工法、及び、機械加工工法からなることを特徴とする。
【００３７】
これにより、予めデータベースに基本工法を登録しておくことにより、様々な部品の製造工程を共通の基準で評価することができる。その結果、評価に用いる製造チェックシートの品質を均一化することができ、更に統計的な分析処理が可能となる。
【発明の効果】
【００３８】
本発明によれば、部品を製造するサプライヤを選定するに当たり、サプライヤの管理面に係る評価項目からなる監査チェックシートを、暫定合格基準を基にサプライヤを評価することができる。
次いで、その部品の製造工程を製造チェックシートを用いて評価して、管理面に係る評価項目と製造工程における評価項目とから、最終的に適切なサプライヤを決定するようにしたので、サプライヤを管理面と製造面とから是正指導して、良好な部品の調達につながる。
このように、管理面に係る評価項目、部品製造面での評価基準がそれぞれチェックシートで標準化されることで、同一基準で監査実績データを蓄積することが可能となる。
このため、複数の事業所が同一サプライヤの採用検討の無駄を省き、迅速な採用判断につながる。また、的確な是正計画を立てることが可能となる。
【図面の簡単な説明】
【００３９】
【図１】本発明に係る部品を製造するサプライヤ選定システムの一実施形態の全体構成を概念的に示すブロック構成図である。
【図２】本実施形態に係る部品の製造工程評価システムにおける、基本工法と詳細工法との関係を概念的に示したものである。
【図３】本実施形態に係るサプライヤ選定システムによる制御内容を工程順に示すフローチャートである。
【図４】サプライヤ選定システムのうちのサプライヤ評価システムにおいて実行される、サプライヤの管理面に係る評価項目からなる監査チェックシートの一例を示す図である。
【図５】サプライヤ評価システムにおいて実行される部品重要度別の合格基準を示した図である。
【図６】サプライヤ評価システムにおいて用いられる暫定合格基準の一例を示す図である。
【図７】本実施形態に係るサプライヤ評価システムの出力部による評価結果及びその統計処理結果の出力形態の一例である。
【図８】本実施形態に係るサプライヤ評価システムの出力部による評価結果及びその統計処理結果をレーダーチャート形式で出力した一例である。
【図９】本実施形態に係る部品の製造工程評価システムによる制御内容を工程順に示すフローチャートである。
【図１０】図９のステップＳ１０１及ぶＳ１０２における基本工法・詳細工法の選択方法を概念的に示したものある。
【図１１】詳細工法及びこれに対応する評価項目の具体例を示す一覧表である。
【図１２】図９のステップＳ１０４で作成されたチェックシートの一例を示す模式図である。
【図１３】本実施形態に係る部品の製造工程評価システムの出力部による評価結果及びその統計処理結果の出力形態の一例である。
【図１４】本実施形態に係る部品の製造工程評価システムの出力部による評価結果及びその統計処理結果の出力形態の他の例である。
【図１５】本実施形態に係る部品の製造工程評価システムの出力部による評価結果及びその統計処理結果をレーダーチャート形式で出力した一例である。
【発明を実施するための形態】
【００４０】
以下、本発明に係るサプライヤ選定システムについての実施形態を示し、添付の図面に基づいて詳細に説明する。尚、以下の説明では本発明に係る部品を製造するサプライヤの選定方法をコンピュータなどの情報処理装置を用いたサプライヤ選定システムによって実施した場合を例に説明する。
【００４１】
図１に、本実施形態に係る部品を製造するサプライヤの選定システム１００の全体構成を概念的に示す。
この選定システム１００は、オペレータがデータを入力するための入力部１と、後述する各種処理に必要なデータを記憶しているデータベース２（後述する管理データベース２ａ、製造データベース２ｂ）と、入力部１やデータベース２から取得したデータを用いて処理を行う演算部３と、該演算部３における演算結果を表示するための表示部４とを備えてなる。尚、入力部１はキーボード、マウスやタッチパネルであり、本発明に係る「入力手段」の一例である。表示部４はディスプレイなどのユーザインターフェースであり、本発明に係る「出力手段」の一例である。
【００４２】
ここでの選定システム１００は、サプライヤの管理面に係る評価項目からなる監査チェックシート（後述）を作成して、予め設定された暫定合格基準（後述）を基に、部品を製造するサプライヤを評価するサプライヤ評価システム１０１と、部品の製造工程における評価項目からなる製造チェックシート（後述）を用いて、部品の製造工程を評価する部品の製造工程評価システム１０２と、を含む。
【００４３】
サプライヤ評価システム１０１は、サプライヤの管理面に係る評価項目を、予め登録されてなる管理面に係る評価項目情報を記憶した管理データベース２ａと、管理データベース２ａから管理面に係る評価項目情報を、入力部１の入力指令により取り出す管理項目取出部５と、取り出された管理面に係る評価項目情報を一旦メモリするメモリ６と、管理面に係る評価項目を含むフォーマットの監査チェックシートを作成する監査チェックシート作成部７と、を備える。
【００４４】
管理データベース２ａには、演算部３での処理に必要なデータとして、サプライヤの管理面に係る評価項目、すなわち、管理面に係る評価項目の上位項目としての（１）全般、（２）図面管理、（３）計測機器管理、（４）初品管理、（５）原材料管理、（６）外注管理、（７）工程内管理、（８）履歴管理、（９）完成検査、（１０）完成品管理、（１１）是正処置、（１２）教育・訓練、（１３）継続的改善と製造能力、（１４）他メーカへの納入実績、が登録されている。
【００４５】
また、以上のような管理面に係る評価項目の上位項目のうち、例えば（１）全般は、さらに下位項目として１．品質方針が文書化され従業員に周知徹底されているか、２．組織と品質保証業務は明確になっているか（組織と主要業務）、３．品質責任者は決められているか、４．組織の上で関連業務が明確になっているか、５．品質保証／管理者用の品質マニュアルがあるか（品質に係る社内全体の仕組・手順等を包括的に記述したもの）、６．品質、コスト、納期について顧客満足度を調べているか、７．訓練された品質管理者／作業者は質、量とも十分であるか、８．保守保全された生産設備／検査機器は質、量とも十分であるか、９．製造されている製品に応じた職場の整理／整頓／清掃が行われているか、１０．作業環境は、安全／環境規制に基づいて管理され適合しているか、１１．品質記録の保管期限は決められ守られているか、が登録されている。
【００４６】
また、（２）図面管理に関しては、下位項目として、１．図面管理の手順は決められているか、２．最新の図面が活用されているか、３．図面管理台帳はあるか、４．図面を管理・維持する担当者は決められているか、が登録されている。
【００４７】
なお、（３）計測機器管理、（４）初品管理、（５）原材料管理、（６）外注管理、（７）工程内管理、（８）履歴管理、（９）完成検査、（１０）完成品管理、（１１）是正処置、（１２）教育・訓練、（１３）継続的改善と製造能力についての下位項目についてはここでは省略する。
【００４８】
そして、（１４）他メーカへの納入実績に関しては、下位項目として、１．西側先進国への納入実績があるか（同業他社コンペチタ等）すなわち、満足：同業他社のコンペチタ実績、概ね満足：同業他社に限らず実績あり。不満足：実績なし、２．今後の取り組み（姿勢）はあるか、満足：技術ポテンシャルがあり、意欲的である。概ね満足：どちらかが欠ける。不満足：いずれもない、が登録されている。
また、各評価項目には、それぞれの重要度に応じた最大評価点（詳しくは後述する）が規定されており、項目ごとの重み付けがなされている。このようにデータベースに登録された評価項目や最大評価点の選定には、好ましくは有識者など高いスキルを有する者が選定することが好ましいが、本発明ではチェックシート毎に選定する必要がないので、作成者の負担が少なくて済む。
【００４９】
次に、部品を製造する点での評価を行う評価項目からなるチェックシート（後述）を用いて評価する部品の製造工程評価システム１０２について説明する。
【００５０】
部品の製造工程評価システム１０２は、部品の製造工程を構成し得る工法の上位項目として予め設定された基本工法が登録されてなる基本工法情報、基本工法の下位項目として予め設定された詳細工法が登録されてなる詳細工法情報、及び、前記詳細工法に対応する評価項目が登録されてなる評価項目情報を互いに関連付けて記憶した製造データベース２ｂと、評価対象である部品の製造工程を構成する工法について、製造データベース２ｂから対応する基本工法、詳細工法及び評価項目をそれぞれ選定する選択部８と、選択された基本工法、詳細工法及び評価項目を含むフォーマットの製造チェックシートを作成する製造チェックシート作成部９と、を備える（図１参照）。
【００５１】
部品の製造工程評価システム１０２は、実質的には、前述のサプライヤ評価システム１０１と共通の構成となっている。すなわち製造工程評価システム１０２は、オペレータがデータを入力するための入力部１と、後述する各種処理に必要なデータを記憶している製造データベース２ｂと、入力部１や製造データベース２ｂから取得したデータを用いて処理を行う演算部３と、該演算部３における演算結果を表示するための表示部４とを備えてなる。尚、入力部１はキーボード、マウスやタッチパネルであり、本発明に係る「入力手段」の一例である。表示部４はディスプレイなどのユーザインターフェースであり、本発明に係る「出力手段」の一例である。
【００５２】
製造データベース２ｂには演算部３での処理に必要なデータとして、基本工法情報、詳細工法情報、評価項目情報が記憶されている。基本工法情報は、評価対象となる部品の製造工程を構成し得る工法の上位項目として予め設定された基本工法が登録されてなるものである。本願発明者の鋭意研究によれば、一般的な部品の製造工程は基本的に「材料選択工法」、「鋳造工法」、「鍛造工法」、「熱処理工法」、「表面処理工法」、「溶接工法」、及び、「機械加工工法」という７つの基本工法の組み合わせからなることが見出した。すなわち、一般的に部品の製造工程は複数の工法の組み合わせからなっているが、これらの複数の工法は７つの基本工法のいずれかに分類することができる。このように本製造工程評価システム１０２では、部品の製造工程を基本工法情報に登録された基本工法に分類することにより、様々な部品の製造工程を共通の基準で評価することができる。
【００５３】
詳細工法情報は、基本工法の下位項目として予め設定された詳細工法が登録されてなる。ここで図２は、基本工法と詳細工法との関係を概念的に示したものである。上述したように、一般的に部品の製造方法は７つの基本工法に分類されるが、これら基本工法の各々は更に詳細工法に分類される。例えば、基本工法「材料選択工法」は、詳細工法「製鋼」「鍛造材」「鋳造材」・・・に分類され、基本工法「鋳造」は詳細工法「自硬性」「熱硬化性」「ダイカスト」・・・に分類される（その他の基本工法についても図２に示すように細分類されている）。すなわち、部品の製造工程は一般的に、基本工法に大分類されると共に、詳細工法に中分類される。
【００５４】
尚、図２に示す詳細工法の具体的な内容は一例にすぎず、評価対象である部品の特性に応じて、その内容は適宜変更されることは言うまでもない。
【００５５】
以上構成されるサプライヤの選定システム１００について、制御内容を図３に示すフローチャートを基に説明する。
先ず対象部品を選定し（ステップＳ１）、その部品を製造するサプライヤ候補を選定し（ステップＳ２）、システム監査、すなわちサプライヤ評価システム１０１を実行する（ステップＳ３）。
サプライヤ評価システム１０１は具体的には、サプライヤ評価システム１０１のオペレータが入力部１を操作することによって、管理項目取出部５によって、管理データベース２ａに記憶されたサプライヤの管理面に係る評価項目のうちの上位項目である、（１）全般、（２）図面管理、………、（１４）他メーカへの納入実績を取り出すことができる。  次いでこれら上位項目（１）〜（１４）と共にそれぞれ下位項目を関連づけて、一旦、演算部３に内蔵されたメモリ６にメモリされ、監査チェックシート作成部７において、管理面に係る評価項目を含む所定フォーマットに従った監査チェックシートに作成される（図４参照）。
【００５６】
図４に示す監査チェックシートに記載されているように、サプライヤの管理面に係る各評価項目において、各々の上位項目に対する下位項目の評価基準が、それぞれ状況、すなわち満足、概ね満足、不満足、未実施に分けられ、評価結果に応じた段階的な点数が付与されている。
【００５７】
また、かかる監査チェックシートは、部品の重要度ごとに合格基準点が設定されている。例えば高い安全度が求められる部品に対しては重要度Ａとし、合格基準を９０〜１００％としている（図５参照）。また、機械の性能に大きく影響のある部品に対しては重要度Ｂとし、合格基準を７０〜８９％としている。さらに特に重要な要素を持たない部品に対しては重要度Ｃとし、合格基準を５０〜６９％としている。
【００５８】
ここで、需要度Ａの部品についての評価点と合格基準について図６に示し、説明する。図６に示す表を暫定合格基準表としている。
かかる暫定合格基準表に基づいて、サプライヤの管理面に係る評価項目が合格基準に達しているかが判定される（ステップＳ４）。
監査チェックシートで示した、サプライヤの管理面に係る各評価項目において、各々の上位項目（１）〜（１３）については、最大付与可能得点と実際の部品の評価による付与得点とを示している。また、上位項目（１４）メーカへの納入実績に関しては、係数とし、満足は×１．２、概ね満足は×１．０、不満足×０．９として、上位項目（１）〜（１３）の総合評価点に割りかけている。
したがって、ここでの表は、この部品の（１）〜（１３）の総合評価点が３６０で、最高評価点４７５に対し７６％と、重要度Ａの部品としては合格基準に達していない。しかしながら、（１４）メーカへの納入実績があることから、上記総合評価点×１．２＝４３２となり、暫定評価点は９１％となるため、暫定合格としている。今後は、総合評価点が９０％以上となるように是正指導を行ったうえで、再びステップＳ３のシステム監査を実施することになる。総合評価点が９０％以上となれば、次の実際の部品の製造工程監査へと進む。
なお、以上のような工程を経ても合格基準に達しない場合には、再度サプライヤ候補選定のステップＳ２に戻る。
【００５９】
そして表示部４では監査チェックシート自体の出力の他に、演算部３によって集計された評価結果やその統計処理結果が出力される。図７に表示部４による評価結果及びその統計処理結果の出力形態の一例を示す。なお、かかる演算部３によって集計された評価結果やその統計処理結果は、データベース２における蓄積データベース２ｃに監査実績データとして蓄積することができる。
図７では、対象部品の製造設備を有するサプライヤA〜Cについて、本サプライヤ評価システム１０１を用いることによって、その評価結果を比較可能な形式で出力した例を示している。
ここでは、サプライヤA〜Cについて、それぞれ監査チェックシートで示された各項目ごとの点数が示され、総合評価点が記載されるとともに、メーカへの納入実績の有無から所定の掛け率で暫定総合評価を算出して示している。また、評価結果を統計的に演算することによって、達成率という形式で表示している。これにより、各サプライヤの適性を容易に把握することが可能となる。
図７から容易に解るように、サプライヤAは、総合評価で合格点に達しているので、以後の実際の部品の製造工程監査（ステップＳ５）へ進めることができる。
しかしながらサプライヤBは、一部の評価項目で問題点があり、この評価項目が是正されれば、メーカへの納入実績もあることから、総合評価も上がる可能性は高く、合格点に達すると考えられるので、是正指導を実施することができる。
なお、サプライヤCに関しては、総合評価が低く、メーカへの納入実績もないが、評価項目のうち、完成品検査、完成品管理、是正処置、教育・訓練、継続的改善の評価が比較的高く、今後の是正指導によって総合評価が合格基準に達することは考えられる。しかしながら、今回は、選定から外れることとなる。
【００６０】
そして、表示部４による評価結果及びその統計処理結果は、図８に示すレーダーチャート形式で出力することもできる。
このようにレーダーチャート形式で表示することにより、評価結果を視覚的により容易に把握することも可能である。
【００６１】
以上、サプライヤ評価システム１０１によれば、所定基準の監査チェックシートに基づいて、適切なサプライヤを迅速に選定することができ、管理面での合格点を取得したサプライヤに絞ることができる。
【００６２】
続いて、選定されたサプライヤによる実際の部品の製造に当たり、製造工程評価システム１０２による製造工程監査が実行される（ステップＳ５）。
そこで、製造工程監査について、図９に示すフローチャートに基づいて、制御内容を工程順に説明する。
まず製造工程評価システム１０２のオペレータは入力部１を操作することによって、評価対象である部品の製造工程に含まれる工法が、製造データベース２ｂに記憶された基本工法情報に含まれるどの基本工法・詳細工法に該当するのかを選定する（ステップＳ１０１＆Ｓ１０２）。具体的には、基本工法・詳細工法の一覧（例えば図２に示す分類表など）を表示部４の画面上に表示して、マウスやキーボード・タッチパネルなどの入力部１を操作することによって選定する。このように選択された基本工法・詳細工法の選択動作は、演算部３の選択部８がデータベース２にアクセスすることによって関連する情報が取得される。尚、選択部８は本発明に係る「選択手段」の一例である。
【００６３】
ここで、図１０はステップＳ１０１及ぶＳ１０２における基本工法・詳細工法の選択方法を概念的に示したものである。図１０の例では、評価態様である部品の製造工程に含まれる基本工法として、「材料選択工法」「鍛造工法」「熱処理工法」「表面処理工法」「機械加工工法」を選択している。一方、基本工法のうち「鋳造工法」「溶接工法」は、評価対象となる製造工程に該当する工法が含まれていないとして選択されていない。このように基本工法の選択操作では、部品の製造工程に含まれる基本工法をオペレータの判断に基づいて選定する。
【００６４】
そして、選択した基本工法については、各基本工法の下位概念として登録されている詳細工法のなかから、評価対象の製造工程に含まれる工法に近いものを選定する。図１０の例では、基本工法「材料選択工法」について詳細工法「鍛造材」が選択され、基本工法「鍛造工法」について詳細工法「型鍛造」が選択され、基本工法「熱処理工法」について詳細工法「高周波焼入れ」が選択され、基本工法「表面処理工法」について詳細工法「防錆処理」が選択され、基本工法「機械加工工法」について詳細工法「切削」が選択されている。
【００６５】
図９に戻って、続いて演算部３は、ステップＳ１０１及びＳ１０２で選択した基本工法・詳細工法に関連する評価項目をデータベース２から選定する（ステップＳ１０３）。この処理もまた、表示部４の画面上に表示された評価項目の一覧を、オペレータがマウスやキーボード・タッチパネルなどの入力部１を操作することにより行われる。これに伴い、演算部３の選択部８は、データベース２にアクセスし、対応する情報を取得する。尚、ステップＳ１０３における評価項目の選択は、ステップＳ１０１及びＳ１０２における基本工法・詳細工法を選定することによって、予め関連付けて登録された評価項目が自動的に選択されるようになっていてもよい。
【００６６】
図１１は詳細工法及びこれに対応する評価項目を具体的に示す一覧表である。図１１の例では、詳細工法「型鍛造」に対応する評価項目が示されているが、その他の詳細工法について同様に対応する評価項目が登録されている。また、各評価項目には、それぞれの重要度に応じた最大評価点（詳しくは後述する）が規定されており、項目ごとの重み付けがなされている。このようにデータベースに登録された評価項目や最大評価点の選定には、好ましくは有識者など高いスキルを有する者が選定することが好ましいが、本発明ではチェックシート毎に選定する必要がないので、作成者の負担が少なくて済む。
【００６７】
このように選択部８によって選択された基本工法・詳細工法・評価項目は、一旦、演算部３に内蔵されたメモリ６に格納され、製造チェックシート作成部９において所定フォーマットに従った製造チェックシートに作成される（ステップＳ１０４）。製造チェックシート作成部９は本発明に係る「チェックシート作成手段」の一例である。
【００６８】
ここで図１２は、ステップＳ１０４で作成された製造チェックシートの一例を示す模式図である。この例では、評価項目「鍛造作業管理」を構成する更に詳細な工程毎に具体的な評価項目が規定されている。「調査内容」の欄には各詳細な工程毎においてチェックすべき事項、「重要度」の欄には詳細項目におけるその工程の重要度のランク、「評価点」の欄には評価結果に応じた段階的な点数、「評価基準」の欄には当該段階的な点数を付与する際の評価基準が規定されている。
【００６９】
特に「評価点」に規定された最大評価点は、「重要度」のランクに応じて設定されている。具体的には重要度が「Ａ」の場合には最大評価点が「１０」、重要度が「Ｂ」の場合は最大評価点が「５」、重要度が「Ｃ」の場合には最大評価点が「３」・・・というように設定される。このように評価項目毎に点数化することで、点数の高低に基づいて評価項目の良し悪しを容易に把握できると共に、評価結果の統計処理が可能となる。これにより、評価結果の活用度を大幅に促進することができる。
【００７０】
このように作成された製造チェックシートは表示部４によって紙媒体への印刷や、ディスプレイ上への表示として出力される（ステップＳ１０５）。尚、表示部４による製造チェックシートの出力形態は、製造工程の評価を行う担当者が認識可能な形態であれば、これに限らないことは言うまでもない。特に本システムをポータブル式のノートパソコンなどのモバイル機器に適用する場合には、ディスプレイ上への表示を行うことによって、随時更新可能にするとよい。
【００７１】
このように、評価対象である部品の製造工程を、製造データベースに予め記憶された基本工法及び詳細工法に対応付けることにより、均一な品質で製造チェックシートを自動的に作成することができる。そのため、部品毎に製造チェックシートを作成しなければならない場合であっても、作成者の負担が少なく、容易且つ高品質に製造チェックシートを作成できる。
【００７２】
表示部４では製造チェックシート自体の出力の他に、演算部３によって集計された評価結果やその統計処理結果が出力される。図１３は表示部４による評価結果及びその統計処理結果の出力形態の一例を示す模式図である。
【００７３】
サプライヤが所有する製造設備について製造工程の評価を行う場合、評価者側の目的としては複数の部品サプライヤについて監査を行い、その結果を比較して最適なサプライヤを選定するようにしている（図３に示すフローチャートのステップＳ６）。図１３の例では、サプライヤ評価システム１０１によって選定されたサプライヤA、Bについて、本製造工程評価システム１０２を用いることによって、その評価結果を比較可能な形式で出力した場合の表示部４の表示例を示している。
【００７４】
サプライヤA、Bは評価対象部品の製造工程のうち「材料選択工法」「鋳造工法」以外の基本工法に対応する設備を有するサプライヤである。なお、サプライヤは部品の製造工程の全てを兼ね備えている必要はなく、むしろ製造工程に含まれる一部の工法をその工法を得意とするサプライヤがそれぞれ担当するのが実情である。
【００７５】
サプライヤA、Bは基本工法として「鍛造工法」「熱処理工法」「表面処理工法」「機械加工工法」を担当しており、その評価結果は図１３の該当欄に示すとおりである。尚、図１０を参照して説明したように、本実施例で取り扱う製造工程には「鋳造工法」「溶接工法」は含まれていないため、図１３の評価結果においても該当欄が空欄になっている。
【００７６】
このように図１３の例では、評価結果を統計的に演算することによって、達成率という形式で表示している。これにより、各サプライヤの適性を容易に把握することが可能となる。また、同じ基本工法を担当する複数のサプライヤ間を比較可能な形式で表示することにより、どのサプライヤが最適であるかを容易に判別することができる。例えば、「型鍛造」「高周波焼入れ」「防錆処理」に関してはサプライヤBの達成率が最も高く、「切削」に関してはサプライヤAとBとが同率で達成率が高くなっている。このように各工程においてサプライヤ間の比較が容易になるため、評価結果の有効活用が可能となる。
なお、達成率が低くそのサプライヤが適正を欠くものである場合には、ステップＳ２のサプライヤ候補選定へと戻る。
【００７７】
上記説明では、単純に達成率の高いサプライヤを把握する場合について述べたが、他の活用例としては、達成率の低い工程を明確にすることによって、そのサプライヤに対して是正措置を効果的に行うことが挙げられる。このような活用方法も評価結果の活用例として大変有用である。
【００７８】
図１４は表示部４による評価結果及びその統計処理結果の出力形態の他の例を示すものである。この例では、詳細工法「型鍛造」に関連する各評価項目について、評価点とその達成率を表示している。このように、図１３に比べて更に細かい項目単位で評価結果を比較可能なように表示することで、評価結果のよりきめ細かい活用を行うこともできる。かかる評価結果を見て、合格基準に達しているサプライヤがあれば、実際に試作品製作を行い、評価を行う（図３に示すフローチャートのステップＳ７）。
【００７９】
続いて、図１５は表示部４による評価結果及びその統計処理結果をレーダーチャート形式で出力した例である。このようにレーダーチャート形式で表示することにより、評価結果を視覚的により容易に把握することも可能である。
そして、実際に試作品製作の評価を行った結果、満足できるものである場合には、サプライヤの最終採用決定とすることができる（ステップＳ８）。
【００８０】
以上説明したように、サプライヤの選定システム１００によれば、部品を製造するサプライヤを選定するに当たり、サプライヤの管理面に係る評価項目からなる監査チェックシートを、暫定合格基準を基にサプライヤを評価することができる。
次いで、その部品の製造工程を製造チェックシートを用いて評価して、管理面に係る評価項目と製造工程における評価項目とから、最終的に適切なサプライヤを決定するようにしたので、サプライヤを管理面と製造面とから是正指導して、良好な部品の調達につながる。
このように、管理面に係る評価項目、部品製造面での評価基準がそれぞれチェックシートで標準化されることで、同一基準で監査実績データを蓄積することが可能となる。
このため、複数の事業所が同一サプライヤの採用検討の無駄を省き、迅速な採用判断につながる。また、的確な是正計画を立てることが可能となる。
また部品の製造工程評価において、対象である部品の製造工程に含まれる各工法を、予めデータベースに予め記憶された基本工法、詳細工法及び評価項目に対応付けることにより、これらを組み合わせて製造チェックシートを容易に作成することができる。特に、製造チェックシートに含まれる評価項目は、予めデータベースに登録されたものを用いているので、従来のように製造チェックシートの品質が作成者のスキルに左右されることがなく、一定品質を維持することができる。
【産業上の利用可能性】
【００８１】
本発明は、あらゆる製造工程において、完成品組み立てであろうが、部品の製造工程であろうが、少なくとも一部部品の製造を外部に委託して製造する製造工程に適用することができる。
【符号の説明】
【００８２】
１００  選定システム
１０１  サプライヤ評価システム
１０２  製造工程評価システム
１  入力部
２  データベース
２ａ管理データベース
２ｂ製造データベース
２ｃ蓄積データベース
３  演算部
４  表示部
５  管理項目取出部
６  メモリ
７  監査チェックシート作成部
８  選択部
９  製造チェックシート作成部
【図１】
2013140567.tif 000003
【図２】
2013140567.tif 000004
【図３】
2013140567.tif 000005
【図４】
2013140567.tif 000006
【図５】
2013140567.tif 000007
【図６】
2013140567.tif 000008
【図７】
2013140567.tif 000009
【図８】
2013140567.tif 000010
【図９】
2013140567.tif 000011
【図１０】
2013140567.tif 000012
【図１１】
2013140567.tif 000013
【図１２】
2013140567.tif 000014
【図１３】
2013140567.tif 000015
【図１４】
2013140567.tif 000016
【図１５】
2013140567.tif 000017